(57)【特許請求の範囲】
【請求項１】
複数のズーム位置で焦点距離を段階的に変化させるレンズ鏡筒において、
第１のカム部材と、
沈胴位置及びテレ位置の間において前記第１のカム部材により光軸方向にカム駆動されるとともに、レンズ群を光軸方向に駆動するためのレンズ駆動カムを備えた第２のカム部材とを有し、
前記レンズ駆動カムは、前記第２のカム部材の同一駆動量において、ワイド位置及び前記ワイド位置と隣り合うミドル位置の間における前記レンズ群の駆動速度が、他の隣り合うズーム位置の間における前記レンズ群の駆動速度よりも大きくなるように、前記レンズ群を駆動し、
前記第１のカム部材のカムは、前記ワイド位置及び前記ワイド位置と隣り合うミドル位置の間における前記第２のカム部材の駆動速度が他の隣り合うズーム位置の間における前記第２のカム部材の駆動速度よりも小さくなるように、前記第２のカム部材を駆動し、
前記レンズ駆動カムによる前記レンズ群の駆動と、前記第１のカム部材のカムによる前記第２のカム部材の駆動とにより、前記ワイド位置及び前記ワイド位置と隣り合うミドル位置の間における焦点距離変化速度を、他の隣り合うズーム位置の間における焦点距離変化速度と略等しくさせることを特徴とするレンズ鏡筒。
【請求項２】
前記第１のカム部材が光軸方向に移動するとともに、前記第２のカム部材が光軸回りに回転しながら光軸方向に移動し、
前記ワイド位置及び前記ワイド位置と隣り合うミドル位置の間における前記第２のカム部材の光軸方向の駆動量が、他の隣り合うズーム位置の間における前記第２のカム部材の光軸方向の駆動量よりも小さいことを特徴とする請求項１に記載のレンズ鏡筒。
【請求項３】
使用者操作によりズーム位置の切り換えを行う切換手段と、焦点調節を行うための信号を出力する焦点調節信号出力手段とを有し、
前記切換手段の操作により、前記レンズ群を光軸方向に移動させて所定のズーム位置に設定するとともに、前記焦点調節信号出力手段の出力により前記レンズ群を光軸方向に移動させて焦点調節を行うことを特徴とする請求項１又は２に記載のレンズ鏡筒。
【請求項４】
請求項１から３のいずれか１つに記載のレンズ鏡筒を有するカメラ。
【請求項５】
請求項１から３のいずれか１つに記載のレンズ鏡筒を有する光学機器。
【発明の詳細な説明】
【０００１】
【発明の属する技術分野】
本発明はレンズ鏡筒に関するものであり、特にズームリングの回転操作によりレンズ群を光軸方向に移動させて複数のズーム位置に停止させるとともに、無限遠から至近方向で焦点調節（ピント調節）を行うことができるレンズ鏡筒に関するものである。本発明のレンズ鏡筒は、３５ｍｍフィルム用カメラやデジタルビデオカメラ等の光学機器に適用することができる。
【０００２】
【従来の技術】
特公平６−１００７０７号公報において提案されている倍率切換装置や特開平９−８０２９１号公報において提案されているズーム位置切換装置は、１つのズームリングの回転操作によりズーミングとフォーカシングを行っている。
【０００３】
図１７および図１８は、特公平６−１００７０７号公報において提案されている倍率切換装置の要部概略図、つまり、ズームリングの回転角とレンズ群の光軸方向移動量との関係を示したものである。この倍率切換装置は、２つのレンズ群で構成されており、ズームリングの回転操作によりズーム位置の選択と焦点調節を行うことができる装置である。
【０００４】
１０１は凸レンズユニット、１０２は絞り兼用のシャッター羽根、１０３は凹レンズユニット、１０４は撮像面である。ここで、矢印Ｃは、ズームリングの回転角に対する凸レンズユニット１０１の光軸方向移動量を示す。また、矢印Ｍ１〜Ｍ４および矢印Ｎ１〜Ｎ３は、ズームリングの回転角に対する凹レンズユニット１０３の光軸方向移動量を示す。
【０００５】
ズームリングの回転角が０°のとき、凸レンズユニット１０１、シャッター羽根１０２および凹レンズユニット１０３は、撮像面１０４に対して図１７中上側に描かれた図の位置関係にある。つまり、倍率切換装置は短焦点距離（以下、ＷＩＤＥという）状態にあるとともに、レンズピントが無限遠（以下、∞とする）に合っている。
【０００６】
また、ズームリングの回転角が２４０°のとき、凸レンズユニット１０１、シャッター羽根１０２および凹レンズユニット１０３は、撮像面１０４に対して図１７中下側に描かれた図の位置関係にある。つまり、倍率切換装置は長焦点距離（以下、ＴＥＬＥという）状態にあるとともに、レンズピントが至近に合っている。
【０００７】
ＷＩＤＥのズーム位置でレンズピントが無限遠（以下、∞とする）に合っている状態から、ズームリング（不図示）を光軸回りに３０°回転させると、凸レンズユニット１０１は矢印Ｃに従って移動し、凹レンズユニット１０３は矢印Ｍ１に従って移動する。つまり、ズームリングの回転角が０°〜３０°の範囲では、凸レンズユニット１０１および凹レンズユニット１０３は光軸方向の間隔を一定に保った状態で繰り出す。これにより、レンズ群の変倍動作は行われずに、ＷＩＤＥ状態のままレンズ群の至近方向への焦点調節だけが行われる。ここで、ズームリングが３０°回転した時点でレンズピントが至近に合う。
【０００８】
また、ズームリングを光軸回りにさらに回転させると、凸レンズユニット１０１が矢印Ｃに従って移動するとともに、凹レンズユニット１０３が矢印Ｎに従って移動し、ズームリングの回転角が６０°となった時点でレンズ群の倍率が高倍率に切り換わる。
【０００９】
装置使用者が、レンズ群の倍率をもう少し上げたいということで、ノーマル（ＮＯＲ）モードに切り換えると、ズームリングは回転角１２０°の位置まで回転する。ここで、ズームリングが回転角１２０°の位置にあるとき、レンズピントは∞に合っている。そして、ズームリングを回転角１２０°の位置からさらに回転させると、回転角１２０°〜１５０°の範囲内においてレンズ群の至近方向への焦点調節が行われ、ズームリングが回転角１５０°の位置にあるときレンズピントが至近に合う。
【００１０】
また、ズームリングを回転角１８０°の位置まで回転させると、ＴＥＬＥ状態となり、このときのレンズピントは∞に合っている。ズームリングを回転角１８０°の位置からさらに回転させると、凸レンズユニット１０１が矢印Ｃに従って移動するとともに凹レンズユニット１０３が矢印Ｍ４に従って移動し、レンズ群の至近方向への焦点調節が行われる。ここで、ズームリングが回転角２４０°の位置にあるときレンズピントが至近に合う。
【００１１】
上述した構成により、倍率切換装置は単一のズームリングを回転させるだけで倍率切換と焦点調節を行っている。
【００１２】
特開平１０−２８２３９３号公報において提案されているレンズ鏡筒は、特公平６−１００７０７号公報や特開平９−８０２９１号公報において提案されている倍率切換機構を有しているとともに、撮影時にカメラ本体から３段の筒が繰り出される構造をとっている。ここで、１段目の筒は固定筒とのヘリコイド係合により繰り出し、２段目の筒は図１６に示すように単一の繰り出し量である直線カムにより繰り出し、３段目の筒は特公平６−１００７０７号公報や特開平９−８０２９１号公報において記載されている段階的な形状を有するカムにより繰り出している。また、このレンズ鏡筒は、鏡筒内に配置される可動部材がフレアカット板に干渉してもフレアカット板を弾性変形させることにより、鏡筒内に余分なスペースを設けることなく、フレアカット板によって鏡筒内の可動部材の移動が妨げられるのを防止している。
【００１３】
【発明が解決しようとする課題】
しかし、特公平６−１００７０７号公報や特開平９−８０２９１号公報において提案されている装置や特開平１０−２８２３９３号公報において提案されているレンズ鏡筒では、ワイドから次のテレ側にある焦点距離位置に倍率切換を行う際に焦点距離の変化速度が大きいため、ファインダーを覗く撮影者に違和感を感じさせるとともに、きめ細かい倍率切換を行うことができない。また、特開平１０−２８２３９３号公報において提案されているレンズ鏡筒においては、鏡筒内の可動部材の移動を確保するために、可動部材をフレアカット板に敢えて干渉させている。
【００１４】
そこで、本発明は撮影者がファインダーを覗いて倍率切換を行う際に違和感のないきめ細かい倍率切換を可能にするレンズ鏡筒を提供するとともに、鏡筒内に余分なスペースを設けずに鏡筒内の可動部材がフレアカット板に干渉するのを防止することができるレンズ鏡筒を提供することを目的とする。
【００１５】
【課題を解決するための手段】
上記目的を達成するために本発明は、複数のズーム位置で焦点距離を段階的に変化させるレンズ鏡筒において、第１のカム部材と、沈胴位置及びテレ位置の間において第１のカム部材により光軸方向においてカム駆動されるとともに、レンズ群を光軸方向に駆動するためのレンズ駆動カムを備えた第２のカム部材とを有し、レンズ駆動カムは、第２のカム部材の同一駆動量において、ワイド位置及びワイド位置と隣り合うミドル位置の間におけるレンズ群の駆動速度が、他の隣り合うズーム位置の間におけるレンズ群の駆動速度よりも大きくなるように、レンズ群を駆動し、第１のカム部材のカムは、ワイド位置及びワイド位置と隣り合うミドル位置の間における第２のカム部材の駆動速度が他の隣り合うズーム位置の間における第２のカム部材の駆動速度よりも小さくなるように、第２のカム部材を駆動し、レンズ駆動カムによるレンズ群の駆動と、第１のカム部材のカムによる第２のカム部材の駆動とにより、ワイド位置及びワイド位置と隣り合うミドル位置の間における焦点距離変化速度を、他の隣り合うズーム位置の間における焦点距離変化速度と略等しくさせることを特徴とする。
【００１６】
これにより、ワイド位置及びワイド位置と隣り合うミドル位置の間での焦点距離変化速度が、他の隣り合うズーム位置の間での焦点距離変化速度とほぼ等しくなり、ワイドからテレ方向にズーミングする際に撮影者に違和感を感じさせなくすることができる。また、鏡筒内部での可動部品同士の干渉を防止することができる。
【００２１】
なお、本発明のレンズ鏡筒は、カメラ等の光学機器に用いることができる。
【００２２】
【発明の実施の形態】
（第１実施形態）
図１に本発明の第１実施形態であるレンズ鏡筒の分解斜視図を示す。本実施形態におけるレンズ鏡筒は、いわゆる差動カム筒を２つ備えた３段沈胴式レンズ鏡筒である。また、本実施形態においては、レンズ鏡筒をカメラに備え付けているが、他の光学機器に備え付けてもよい。
【００２３】
１４１はカメラ本体に固定される固定筒であり、この固定筒１４１の内周にはメスヘリコイドが形成されている。
【００２４】
１４２は第１差動カム筒で、第１差動カム筒１４２の内周に光軸方向に延びる直進溝が形成されているとともに、第１差動カム筒１４２の外周後端部１４２ａにオスヘリコイドが形成されている。このオスヘリコイドは固定筒１４１に形成されたメスヘリコイドと係合する。第１差動カム筒１４２は減速ギア列を介してモーター（不図示）と連動しており、第１差動カム筒１４２がモーターの回転力を受けると、固定筒１４１とのヘリコイド係合により光軸回りに回転しながら光軸方向に移動する。
【００２５】
１４３は第１直進ガイド筒（本願請求項に記載の第１のカム部材）であり、第１差動カム筒１４２の内部に、第１差動カム筒１４２の回転に対して摺動可能な状態で保持される。第１直進ガイド筒１４３には第１カム溝１４３ｂが形成されている。また、第１直進ガイド筒１４３のフランジ部１４３ａには凸部が形成されており、この凸部は固定筒１４１の内周に形成された光軸方向に延びる溝部に係合する。ここで、第１差動カム筒１４２が光軸回りに回転しながら光軸方向に移動すると、第１直進ガイド筒１４３は、凸部が固定筒１４１の溝部に係合しているため、第１差動カム筒１４２と一体となって回転せずに光軸方向にだけ移動する。
【００２６】
１４４は第１直進ガイド筒１４３の内部に組み込まれる第２差動カム筒（本願請求項に記載の第２のカム部材）で、この第２差動カム筒の外周には駆動ピン１５１がはめ込まれる凹部１４４ａが形成されている。凹部１４４ａにはめ込まれた駆動ピン１５１は、第１直進ガイド筒１４３に形成された第１カム溝１４３ｂを貫通して、第１差動カム筒１４２の直進溝に係合する。
【００２７】
１４５は第１レンズ群を保持する１群レンズ鏡筒であり、第２直進ガイド筒１４７の内径部に組み込まれる。１群レンズ鏡筒１４５の周方向には３つの１群カムピン１４５ａが形成されており、これらの１群カムピン１４５ａは第２直進ガイド筒１４７に形成された光軸方向に延びる溝部を貫通して、第２差動カム筒１４４の内周に形成された第２カム溝に係合する。
【００２８】
１４６はナットリングであり、第２直進ガイド筒１４７の爪部１４７ａと後端フランジ部１４７ｂとの間に光軸回りに回転可能な状態で取り付けられる。ナットリング１４６の外周には、光軸方向に延びる２つのナット部１４６ａが形成されている。ここで、駆動ピン１５１は、ナット部１４６ａを貫通した状態で第２差動カム筒１４４の凹部１４４ａにはめ込まれる。これにより、第２差動カム筒１４４と第２直進ガイド筒１４７は、相対的に回転しながら第１直進ガイド筒１４３（第１差動カム筒１４２）に対して光軸方向に一体となって移動する。
【００２９】
１４８は第２レンズ群を保持する２群レンズホルダーであり、第２直進ガイド筒１４７の内部に組み込まれる。ここで、第２レンズ群は、周方向に板バネ１５３を配置した状態で２群レンズホルダー１４８に組み込まれるとともに、固定リング１５４により２群レンズホルダー１４８側に押しつけられて固定される。２群レンズホルダー１４８の周方向には３つの２群カムピン１４８ａがはめ込まれ、これらの２群カムピン１４８ａは第２直進ガイド筒１４７に形成された光軸方向に延びる溝部を貫通して、第２差動カム筒１４４の内周に形成された第３カム溝に係合する。
【００３０】
１４９は撮影光路外の有害光をカットするための第１フレアカット板である。この第１フレアカット板１４９の中央部には撮影光束を通過させるための開口部１４９ａが形成されている。また、第１フレアカット板１４９の周方向には、光軸方向に凸状に形成された係合部１４９ｂが形成されており、この係合部１４９は第１直進ガイド筒１４３の後端フランジ部１４３ａに形成された被係合部（不図示）に係止する。これにより、第１フレアカット板１４９は第１直進ガイド筒１４３と一体となって光軸方向に移動する。
【００３１】
１５０は撮影光路外の有害光をカットするための第２フレアカット板である。この第２フレアカット板１５０の中央部には撮影光束を通過させるための開口部１５０ａが形成されている。また、第２フレアカット板１５０の周方向にはバネ板部１５０ｂが形成されているとともに、このバネ板部１５０ｂの先端に被係合部１５０ｃが形成されている。ここで、被係合部１５０ｃには第２直進ガイド筒１４７の後端フランジ部１４７ｂに形成された爪部１４７ｃが係止し、これにより、第２フレアカット板１５０は第２直進ガイド筒１４７と一体となって光軸方向に移動する。
【００３２】
図２に本実施形態のレンズ鏡筒を備えたカメラの断面図および回路図を示す。
【００３３】
１０８はモーターであり、モーター１０８の回転力はギヤ１２１を含む減速ギヤ列を介して長軸ギヤ１２０に伝達される。長軸ギヤ１２０は、第１差動カム筒１４２の外周後端部１４２ａに形成されたヘリコイドに噛み合っており、長軸ギヤ１２０の回転力が第１差動カム筒１４２に伝達される。
【００３４】
１０９は４枚のプロペラで構成されるパルス板であり、１２２はパルス板１０９のプロペラが通過するのを検知するＰＩ（フォトインタラプター）である。１１０はパルス検出回路であり、ＰＩ１２２からのパルスを検出してコンパレータ１１２ａに送る。
【００３５】
１１１はモーターコントロール回路であり、コンパレータ１１２ａの出力によりモーター正転用通電回路を形成するように構成されているとともに、コンパレータ１１２ｂの出力によりモーター逆転用通電回路を形成するように構成されている。そして、後述するロジックコントロール回路１１６からのモーター起動信号を受けることにより、モーター１０８を正転させたり逆転させたりする。
【００３６】
１１３は第１差動カム筒回転演算回路であり、後述する被写体距離検出回路１１４およびズーミング信号処理回路１１５からの出力信号を受けて、下記表１に示す演算を行う。１１４は被写体距離検出回路であり、後述する測距モジュール１１７により得られた被写体距離情報をデジタル信号化して、第１差動カム筒回転演算回路１１３に出力する。１１５はズーミング信号処理回路であり、後述するズーミング操作部材１１８のポジション信号を下記表１に示すように数値化して第１差動カム筒回転演算回路１１３に出力する。
【００３７】
１１６はロジックコントロール回路であり、撮影者がレリーズボタン（不図示）を第１ストロークまで押し込むことにより、モーターコントロール回路１１１のモーター正転用通電回路を作動準備状態にしたり、レリーズボタンの押し込みを絶つことにより、モーターコントロール回路１１１のモーター逆転用通電回路を作動準備状態にしたりする。また、ロジックコントロール回路１１６は、撮影者がレリーズボタンを第１ストロークまで押し込むことにより、測距モジュール１１７に起動信号を発するとともに、測距モジュール１１７による測距動作が終了するまでの十分な時間を経た後でモーターコントロール回路１１１にモーター起動信号を発する。
【００３８】
１１７は測距モジュールであり、ロジックコントロール回路１１６からの起動信号を受けることにより被写体距離を測定し、この被写体距離情報を被写体距離検出回路１１４に送る。
【００３９】
１１８は撮影レンズ（第１レンズ群および第２レンズ群）のズーム位置を切り換えるために操作されるズーミング操作部材であり、５点（ＷＩＤＥ、Ｍ（ミドル）１、Ｍ２、Ｍ３、ＴＥＬＥ）のズーム位置を連続的に切り換えることができる。ズーミング操作部材１１８の操作により、各ズーム位置でのポジション信号がズーミング信号処理回路１１５で下記表１に示すように数値化されて第１差動カム筒回転演算回路１１３に出力される。１１９はファインダーレンズ移動機構であり、ズーミング操作部材１１８の操作を受けてファインダーレンズ（不図示）を光軸方向に移動させる。
【００４０】
上述した構成において、本実施形態におけるカメラの倍率切換および焦点調節の動作を図２から図８を用いて説明する。ここで、図３は、ＷＩＤＥ待機状態におけるレンズ鏡筒の断面図であり、図４はＴＥＬＥ待機状態におけるレンズ鏡筒の断面図である。また、図５は固定筒１４１の展開図であり、図６は第１直進ガイド筒１４３の展開図である。図７は第２差動カム筒１４４の展開図であり、図８は第２差動カム筒１４４の部分展開図である。
【００４１】
まず、レンズ鏡筒の沈胴状態について説明する。レンズ鏡筒が沈胴状態にあるとき、固定筒１４１とヘリコイド係合している第１差動カム筒１４２は、固定筒１４１の前面から繰り出していない。第２差動カム筒１４４の駆動ピン１５１は、第１直進ガイド筒１４３の内周に形成された第１カム溝１４３ｂに係合しており、第１カム溝１４３ｂの位置１４３ｂ１にある。
【００４２】
第１レンズ群を保持する１群レンズ鏡筒１４５に形成された１群カムピン１４５ａは、第２差動カム筒１４４に形成された第２カム溝１４４ｂに係合しており、第２カム溝１４４ｂの位置１４４ｂ１にある。このとき、１群レンズ鏡筒１４５は第２差動カム筒１４４に対して繰り出していない。第２レンズ群を保持する２群レンズホルダー１４８にはめ込まれる２群カムピン１４８ａは、第２差動カム筒１４４の内周に形成された第３カム溝１４４ｃに係合しており、第３カム溝１４４ｃの位置１４４ｃ１にある。
【００４３】
次に、レンズ鏡筒が沈胴状態からＷＩＤＥ待機状態（図３）まで繰り出す際の動作を説明する。
【００４４】
撮影者がカメラ本体１５９の電源をオンにするとともに、ズーミング操作部材１１８の操作によりズーム位置をＷＩＤＥに設定すると、モーター１０８が回転（正転）し、このモーター１０８の回転力が減速ギヤ列（ギヤ１２１を含む）および長軸ギヤ１２０を介して第１差動カム筒１４２に伝達される。これにより、第１差動カム筒１４２は、固定筒１４１とのヘリコイド係合により、光軸回りに回転しながら光軸方向に繰り出す。このとき、第２差動カム筒１４４に取り付けられた駆動ピン１５１は、第１カム溝１４３ｂに案内されて位置１４３ｂ１から位置１４３ｂ２まで移動する。これにより、第２差動カム筒１４４は第１直進ガイド筒１４３（第１差動カム筒１４２）に対して、位置１４３ｂ１から位置１４３ｂ２の間における駆動ピン１５１の光軸方向移動量分だけ繰り出される。
【００４５】
第２差動カム筒１４４が繰り出されることにより、１群レンズ鏡筒１４５の１群カムピン１４５ａは、第２カム溝１４４ｂに案内されて位置１４４ｂ１から位置１４４ｂ２まで移動する。これにより、１群レンズ鏡筒１４５は第２差動カム筒１４４に対して、位置１４４ｂ１から位置１４４ｂ２の間における１群カムピン１４５ａの光軸方向移動量分だけ繰り出される。また、２群レンズホルダー１４８に取り付けられた２群カムピン１４８ａは、第３カム溝１４４ｃに案内されて位置１４４ｃ１から位置１４４ｃ２まで移動する。これにより、２群レンズホルダー１４８は第２差動カム筒１４４に対して、位置１４４ｃ１から位置１４４ｃ２の間における２群カムピン１４８ａの光軸方向移動量分だけ繰り込む。上述した動作により、レンズ鏡筒がＷＩＤＥ待機状態となる（図３）。
【００４６】
レンズ鏡筒がＷＩＤＥ待機状態（図３）にあるとき、第２レンズ群は第２フレアカット板１５０をフィルム側に押し込んでいる。ここで、第２直進ガイド筒１４７の爪部１４７ｃが第２フレアカット板１５０の被係合部１５０ｃに係止しているため、第２フレアカット板１５０はバネ板部１５０ｂにより弾性変形して、開口部１５０ａがフィルム側（像面側）にふくらんだ状態となっている。
【００４７】
ＷＩＤＥ待機状態において、撮影者がレリーズボタンを第１ストロークまで押し込むと、ロジックコントロール回路１１６からの出力信号をうけた測距モジュール１１７により測距動作が行われる。そして、この被写体距離情報が被写体距離検出回路１１４に送られ、被写体距離検出回路１１４でデジタル信号化された後に第１差動カム筒回転演算回路１１３に出力される。また、ズーミング操作部材１１８の操作によりズーム位置をＷＩＤＥに設定した際のポジション信号が、ズーミング信号処理回路１１５で数値化された後に第１差動カム筒回転演算回路１１３に出力される。これにより、第１差動カム筒回転演算回路１１６は、被写体距離検出回路１１４およびズーミング信号処理回路１１５の出力信号に応じて下記表１に示す演算を行う。具体的には、撮影者がズーミング操作部材１１８を操作することによりズーム位置をＷＩＤＥ（焦点距離ｆ＝３５ｍｍとする）に設定した場合であって、測距モジュール１１７により被写体距離が４ｍと測定された場合には、第１差動カム筒回転演算回路１１３は、被写体距離検出回路１１４およびズーミング信号処理回路１１５の出力信号をうけて下記表１に示す演算を行い、演算結果である数字１１をコンパレータ１２ａの基準値として記憶する。
【００４８】
【表１】
0004095321.tif 000002
【００４９】
一方、モーターコントロール回路１１１は、ロジックコントロール回路１１６からの起動信号を受けることによりモーター１０８を正転させて、第１差動カム筒１４２を光軸回りに回転させる。これにより、第１レンズ群および第２レンズ群が、後述するように光軸方向に移動する。
【００５０】
第１差動カム筒１４２の回転は、パルス板１０９によりパルス化されてパルス検出回路１１０に出力されるとともに、パルス検出回路１１０でパルスの検出が行われて、コンパレータ１１２ａに送られる。
【００５１】
モーター１０８の正転により第１差動カム筒１４２が回転し続けている間は、パルス検出回路１１０においてパルスの検出が行われており、パルス数が１１パルス（第１差動カム筒回転演算回路１１３において演算されたコンパレータ１１２ａの基準値）となると、コンパレータ１１２ａが反転することによりモーター１０８の正転を終了させるための信号をモーターコントロール回路１１１に発し、モーターコントロール回路１１１はモーター１０８の両端をショートさせることによりモーター１０８に電気ブレーキをかけてモーター１０８の正転を停止させる。
【００５２】
上述した回路動作により、第１差動カム筒１４２は、固定筒１４１とのヘリコイド係合により光軸回りに回転しながら光軸方向に繰り出す。このとき、第２差動カム筒１４４の駆動ピン１５１は、第１カム溝１４３ｂに案内されて位置１４３ｂ３（∞位置）から位置１４３ｂ４（至近位置）までの間のうちモーター１０８の回転量（第１差動カム筒１４２の回転量）に応じた位置まで移動し、第２差動カム筒１４４を光軸方向に繰り出す。
【００５３】
この第２差動カム筒１４４の繰り出しにより、１群レンズ鏡筒１４５の１群カムピン１４５ａは第２カム溝１４４ｂに案内されて、位置１４４ｂ３（∞位置）から位置１４４ｂ４（至近位置）までの間のうち第２差動カム１４４の繰り出し量に応じた位置まで移動する。これにより、１群レンズ鏡筒１４５が光軸方向に繰り出す。また、２群レンズホルダー１４８の２群カムピン１４８ａは、第３カム溝１４４ｃに案内されて、位置１４４ｃ３（∞位置）から位置１４４ｃ４（至近位置）のうち第２差動カム筒１４４の繰り出し量に応じた位置まで移動する。これにより、２群レンズホルダー１４８が光軸方向に繰り出す。
【００５４】
上述した動作により、１群レンズ鏡筒１４５に保持されている第１レンズ群および２群レンズホルダー１４８に保持されている第２レンズ群がそれぞれ、光軸方向に移動して焦点調節が行われる。
【００５５】
この後、撮影者がレリーズボタンを第２ストロークまで押し込むと、公知の露光動作が行われる。レリーズボタンの押し込みが解除されてレリーズボタンが元の位置に復帰すると、モーターコントロール回路１１１はロジックコントロール回路１１６からの起動信号を受けて、モーター１０８を回転（逆転）させる。これにより、第１差動カム筒１４２が光軸回りに回転して、レンズ鏡筒がＷＩＤＥ待機状態に戻るとともに、レンズ鏡筒がＷＩＤＥ待機状態となった後にスイッチＳＷがオフとなることでコンパレータ１１２ｂが反転して、モーター１０８の回転が停止する。そして、フィルムが一駒分巻き上げられることにより、カメラは撮影前の状態にもどる。
【００５６】
なお、本実施形態においては、ズーム位置をＷＩＤＥ、Ｍ１、Ｍ２、Ｍ３、ＴＥＬＥの５点として倍率切換を行っているが、ズーム位置の数を５点より多くしたり少なくしたりして倍率切換を行うようにしてもよい。
【００５７】
また、本実施形態においては、パルス板１０９およびパルス検出回路１１０を設けて、第１差動カム筒１４２の回転角（第１レンズ群および第２レンズ群の光軸方向における位置関係）を検出することにより、モーター１０８の回転停止時期を決定しているが、これに限るものではなく、モーター１０８にパルスモーターを使用し、第１差動カム筒回転演算回路１１３からの出力パルス数に応じてパルスモーターを回転させて第１差動カム筒１４２を所定の回転角の位置まで回転させるとともに、モーター１０８の回転停止時期を決定してもよい。このようにすれば、第１差動カム筒回転演算回路１１３からの信号を直接モーターコントロール回路１１１に入力すればよいため、カメラ本体１５９内にパルス板１０９、パルス検出回路１１０およびコンパレータ１１２ａを設ける必要がなくなり、カメラの小型化を図ることができる。
【００５８】
次に、レンズ鏡筒が沈胴状態からＴＥＬＥ状態（図４）まで繰り出す際の動作を説明する。
【００５９】
撮影者がズーミング操作部材１１８を操作して、ズーム位置をＴＥＬＥに設定すると、モーター１０８が回転（正転）して、このモーター１０８の回転力が減速ギヤ列（ギヤ１２１を含む）および長軸ギヤ１２０を介して第１差動カム筒１４２に伝達される。これにより、第１差動カム筒１４２は、固定筒１４１とのヘリコイド係合により、光軸回りに回転しながら光軸方向に繰り出す。このとき、第２差動カム筒１４４の駆動ピン１５１は、第１カム溝１４３ｂに案内されて位置１４３ｂ１から位置１４３ｂ１８まで移動する。これにより、第２差動カム筒１４４は第１直進ガイド筒１４３（第１差動カム筒１４２）に対して、光軸回りに回転しながら繰り出す。ここで、第２差動カム筒１４４の繰り出し量は、位置１４３ｂ１から位置４３ｂ１８の間における駆動ピン１５１の光軸方向移動量に相当する。
【００６０】
第２差動カム筒１４４が繰り出されることにより、１群レンズ鏡筒１４５の１群カムピン１４５ａは、第２カム溝１４４ｂに案内されて位置１４４ｂ１から位置１４４ｂ１８まで移動する。これにより、１群レンズ鏡筒１４５は第２差動カム筒１４４に対して、位置１４４ｂ１から位置１４４ｂ１８の間における１群カムピン１４５ａの光軸方向移動量分だけ繰り出される。また、２群レンズホルダー１４８の２群カムピン１４８ａは、第３カム溝１４４ｃに案内されて位置１４４ｃ１から位置１４４ｃ１８まで移動する。これにより、２群レンズホルダー１４８は第２差動カム筒１４４に対して、位置１４４ｃ１から位置１４４ｃ１８の間における２群カムピン１４８ａの光軸方向移動量分だけ繰り出される。上述した動作により、レンズ鏡筒がＴＥＬＥ待機状態となる（図４）。
【００６１】
ＴＥＬＥ待機状態において、撮影者がレリーズボタンを第１ストロークまで押し込むと、ロジックコントロール回路１１６からの出力信号をうけた測距モジュール１１７において測距動作が行われ、測距モジュール１１７により測定された被写体距離に基づいて焦点調節が行われる。焦点調節を行う場合、まずモーター１０８の回転力が第１差動カム筒１４２に伝達され、第１差動カム筒１４２は固定筒１４１とのヘリコイド係合により光軸回りに回転しながら光軸方向に繰り出す。このとき、第２差動カム筒１４４の駆動ピン１５１は第１カム溝１４３ｂに案内されて位置１４３ｂ１９（∞位置）から位置１４３ｂ２０（至近位置）までの間のうちモーター１０８の回転量（第１差動カム筒１４２の回転量）に応じた位置まで移動し、第２差動カム筒１４４を光軸方向に繰り出す。
【００６２】
この第２差動カム筒１４４の繰り出しにより、１群レンズ鏡筒１４５の１群カムピン１４５ａは第２カム溝１４４に案内されて、位置１４４ｂ１９から位置１４４ｂ２０までの間のうち第２差動カム１４４の繰り出し量に応じた位置まで移動する。これにより、１群レンズ鏡筒１４５が光軸方向に繰り出す。また、２群レンズホルダー１４８の２群カムピン１４８ａは、第３カム溝１４４ｃに案内されて、位置１４４ｃ１９（∞位置）から位置１４４ｃ２０（至近位置）までの間のうち第２差動カム筒１４４の繰り出し量に応じた位置まで移動する。これにより、２群レンズホルダー１４８が繰り込む。
【００６３】
上述した動作により、１群レンズ鏡筒１４５に保持されている第１レンズ群および２群レンズホルダー１４８に保持されている第２レンズ群がそれぞれ、光軸方向に移動して焦点調節が行われる。そして、撮影者がレリーズボタンを第２ストロークまで押し込むと、公知の露光動作が行われる。露光終了後、モーター１０８を駆動させることにより、第１差動カム筒１４２を光軸回りに回転させてレンズ鏡筒をＴＥＬＥ待機位置まで繰り込ませるとともに、フィルムの巻き上げが行われる。これにより、フィルムの１駒撮影が完了してカメラが撮影開始前の状態に戻る。
【００６４】
一方、ズーム位置をＭ１、Ｍ２、Ｍ３に切り換えた場合にも、レンズ鏡筒は上述したような倍率切換および焦点調節の動作を行う。
【００６５】
ここで、図６に示すように、ズーム位置がＷＩＤＥからＭ１に切り換わる際、第１カム溝１４３ｂにおけるＷＩＤＥ〜Ｍ１までの領域のリフト量は、他のズーム位置切換領域（Ｍ１〜Ｍ２までの領域、Ｍ２〜Ｍ３までの領域、Ｍ３〜ＴＥＬＥまでの領域）におけるリフト量よりも小さくなっている。つまり、ＷＩＤＥ〜Ｍ１における第２差動カム筒１４４の駆動速度を他のズーム位置切換領域における第２差動カム筒１４４の駆動速度よりも小さくしている。ここで、図８に示すように、第２差動カム筒１４４において、ＷＩＤＥ〜Ｍ１間のレンズ群（第１レンズ群および第２レンズ群）の駆動速度は、他のズーム位置間（Ｍ１〜Ｍ２、Ｍ２〜Ｍ３、Ｍ３〜ＴＥＬＥ）のレンズ群の駆動速度よりも大きくなっているため、ＷＩＤＥ〜Ｍ１間での第２差動カム筒１４４の駆動速度を小さくすることにより、レンズ鏡筒におけるＷＩＤＥ〜Ｍ１間での焦点距離変化速度を小さくしている。これにより、撮影者がファインダーを覗いてＷＩＤＥ〜Ｍ１間で倍率切換を行う場合、違和感を感じることなく倍率切換を行うことができる。
【００６６】
本実施形態のレンズ鏡筒は、連続的なズーミングが不可能であり、５〜６つの焦点距離へとびとびにしかズーミングができない。また、焦点距離を知るセンサの関係上、隣接する焦点距離間でのカム筒の回転角は等しくなっている。ここで、一般的な光学設計を行い、第１群をリニアに繰り出すメカ構造にすると、従来技術のようにＷＩＤＥにおける焦点距離と次のズーム位置における焦点距離との値が大きく離れる。
【００６７】
このため、ＷＩＤＥからＴＥＬＥ側にズーム操作しただけで大きく画角変化し、ファインダを覗いている撮影者に違和感を与えてしまう。しかも、ＷＩＤＥと所定のミドル段との間で停止させることもできない。
【００６８】
そこで、本実施形態のようにＷＩＤＥに隣接するズーム位置（Ｍ１）における焦点距離をＷＩＤＥにおける焦点距離に近づけるようにすることで、視覚的および感覚的に等間隔に近いズーミングが可能となり、撮影者に違和感を与えるのを防止することができる。
【００６９】
また、ＷＩＤＥおよびＴＥＬＥにおける焦点距離は、従来（図１６）のＷＩＤＥおよびＴＥＬＥにおける焦点距離と同じになるように設定しており、ズーム位置がＭ１、Ｍ２、Ｍ３と切り換わるにつれて焦点距離が従来のズーム位置における焦点距離に近づいていく。
【００７０】
（第２実施形態）
次に本発明の第２実施形態であるレンズ鏡筒について図９から図１５を用いて説明する。本実施形態においては、レンズ鏡筒をカメラに備え付けているが、他の光学機器に備え付けてもよい。
【００７１】
図９は本実施形態におけるレンズ鏡筒の分解斜視図である。本実施形態におけるレンズ鏡筒も第１実施形態のレンズ鏡筒と同様に、いわゆる差動カム筒を２つ備えた３段沈胴式レンズ鏡筒である。
【００７２】
２４１はカメラ本体に固定される固定筒であり、この固定筒２４１の内周にはメスヘリコイドが形成されている。
【００７３】
２４２は第１差動カム筒（本願請求項に記載の第１のカム部材）で、第１差動カム筒２４２の内周に光軸方向に延びる直進溝が形成されているとともに、第１差動カム筒２４２の外周後端部２４２ａにオスヘリコイドが形成されている。このオスヘリコイドは固定筒２４１に形成されたメスヘリコイドと係合する。第１差動カム筒２４２は減速ギア列を介してモーター（不図示）と連動しており、第１差動カム筒２４２がモーターの回転力を受けると、固定筒２４１とのヘリコイド係合により光軸回りに回転しながら光軸方向に移動する。
【００７４】
２４３は第１直進ガイド筒であり、第１差動カム筒２４２の内部に、第１差動カム筒２４２の回転に対して摺動可能な状態で保持される。第１直進ガイド筒２４３には第１カム溝が形成されている。また、第１直進ガイド筒２４３の外周後端部には凸部が形成されており、この凸部は固定筒２４１の内周に形成された光軸方向に延びる溝部に係合する。ここで、第１差動カム筒２４２が光軸回りに回転しながら光軸方向に移動すると、第１直進ガイド筒２４３は、凸部が固定筒２４１の溝部に係合しているため、第１差動カム筒２４２と一体となって回転せずに光軸方向にだけ移動する。
【００７５】
２４４は第１直進ガイド筒２４３の内部に組み込まれる第２差動カム筒（本願請求項に記載の第２のカム部材）で、この第２差動カム筒の外周には駆動ピン２５１がはめ込まれる凹部２４４ａが形成されている。凹部２４４ａにはめ込まれた駆動ピン２５１は、第１直進ガイド筒２４３に形成された第１カム溝を貫通して、第１差動カム筒２４２の直進溝に係合する。
【００７６】
２４５は第１レンズ群を保持する１群レンズ鏡筒であり、第２直進ガイド筒２４７の内部に組み込まれる。１群レンズ鏡筒２４５の周方向には３つの１群カムピン２４５ａが形成されており、これらの１群カムピン２４５ａは第２直進ガイド筒２４７に形成された光軸方向に延びる溝部を貫通して、第２差動カム筒２４４の内周に形成された第２カム溝に係合する。
【００７７】
２４６はナットリングであり、第２直進ガイド筒２４７の爪部２４７ａと後端フランジ部２４７ｂとの間に光軸回りに回転可能な状態で取り付けられる。ナットリング２４６の外周には、光軸方向に延びる２つのナット部２４６ａが形成されている。ここで、駆動ピン２５１は、ナット部２４６ａを貫通した状態で第２差動カム筒２４４の凹部２４４ａにはめ込まれる。これにより、第２差動カム筒２４４と第２直進ガイド筒２４７は相対的に回転しながら第１直進ガイド筒２４３（第１差動カム筒２４２）に対して光軸方向に移動する。
【００７８】
２４８は第２レンズ群を保持する２群レンズホルダーであり、第２直進ガイド筒２４７の内部に組み込まれる。ここで、第２レンズ群は、周方向に板バネ２５３を配置した状態で２群レンズホルダー２４８に組み込まれるとともに、固定リング２５４により２群レンズホルダー２４８側に押しつけられて固定される。２群レンズホルダー２４８の周方向には３つの２群カムピン２４８ａがはめ込まれ、これらの２群カムピン２４８ａは第２直進ガイド筒２４７に形成された光軸方向に延びる溝部を貫通して、第２差動カム筒２４４の内周に形成された第３カム溝に係合する。
【００７９】
２４９は撮影光路外の有害光をカットするための第１フレアカット板である。この第１フレアカット板２４９の中央部には撮影光束を通過させるための開口部２４９ａが形成されている。また、第１フレアカット板２４９の周方向には、光軸方向に凸状に形成された係合部２４９ｂが形成されており、この係合部２４９は第１直進ガイド筒２４３の後端フランジ部２４３ａに形成された被係合部（不図示）に係止する。これにより、第１フレアカット板２４９は第１直進ガイド筒２４３と一体となって光軸方向に移動する。
【００８０】
２５０は撮影光路外の有害光をカットするための第２フレアカット板である。この第２フレアカット板２５０の中央部には撮影光束を通過させるための開口部２５０ａが形成されている。また、第２フレアカット板２５０の周方向には被係合部２５０ｂが形成されており、この被係合部２５０ｂには第２直進ガイド筒２４７の後端フランジ部２４７ｂに形成された爪部２４７ｃが係止する。これにより、第２フレアカット板２５０は第２直進ガイド筒２４７と一体となって光軸方向に移動する。
【００８１】
上述した構成において、本実施形態のレンズ鏡筒を備えたカメラの倍率切換および焦点調節の動作を図１０から図１５を用いて説明する。ここで、図１０は沈胴状態におけるレンズ鏡筒の断面図であり、図１１はＷＩＤＥ待機状態におけるレンズ鏡筒の断面図であり、図１２はＴＥＬＥ待機状態におけるレンズ鏡筒の断面図である。また、図１３は第１直進ガイド筒２４３の展開図であり、図１４は第２差動カム筒２４４の展開図であり、図１５は第２差動カム筒２４４の部分展開図である。
【００８２】
まず、レンズ鏡筒の沈胴状態について説明する。レンズ鏡筒が沈胴状態（図１０）にあるとき、固定筒２４１とヘリコイド係合している第１差動カム筒２４２は、固定筒２４１の前面から繰り出していない。第２差動カム筒２４４の駆動ピン２５１は、第１直進ガイド筒２４３に形成された第１カム溝２４３ｂに係合しており、第１カム溝２４３ｂの位置２４３ｂ１にある。
【００８３】
第１レンズ群を保持する１群レンズ鏡筒２４５に形成された１群カムピン２４５ａは、第２差動カム筒２４４に形成された第２カム溝２４４ｂに係合しており、第２カム溝２４４ｂの位置２４４ｂ１にある。このとき、１群レンズ鏡筒２４５は第２差動カム筒２４４に対して繰り出していない。
【００８４】
第２レンズ群を保持する２群レンズホルダー２４８の２群カムピン２４８ａは、第２差動カム筒２４４の内周に形成された第３カム溝２４４ｃに係合しており、第３カム溝２４４ｃの位置２４４ｃ１にある。
【００８５】
次に、レンズ鏡筒が沈胴状態（図１０）からＷＩＤＥ待機状態（図１１）まで繰り出す際の動作を説明する。
【００８６】
撮影者がカメラ本体２５９の電源をオンにするとともに、カメラ本体２５９に備え付けられたズームスイッチ（不図示）を操作してズーム位置をＷＩＤＥに設定すると、モーターが回転し、このモーターの回転力が第１差動カム筒２４２に伝達される。これにより、第１差動カム筒２４２は、固定筒２４１とのヘリコイド係合により、光軸回りに回転しながら光軸方向に繰り出す。このとき、第２差動カム筒２４４に取り付けられた駆動ピン２５１は、第１カム溝２４３ｂに案内されて位置２４３ｂ１から位置２４３ｂ２まで移動する。これにより、第２差動カム筒２４４は第１直進ガイド筒２４３に対して、位置２４３ｂ１から位置２４３ｂ２の間における駆動ピン２５１の光軸方向移動量分だけ繰り出される。
【００８７】
第２差動カム筒２４４が繰り出されることにより、１群レンズ鏡筒２４５の１群カムピン２４５ａは、第２カム溝２４４ｂに案内されて位置２４４ｂ１から位置２４４ｂ２まで移動する。これにより、１群レンズ鏡筒２４５は第２差動カム筒２４４に対して、位置２４４ｂ１から位置２４４ｂ２の間における１群カムピン２４５ａの光軸方向移動量分だけ繰り出される。また、２群レンズホルダー２４８に取り付けられた２群カムピン２４８ａは、第３カム溝２４４ｃに案内されて位置２４４ｃ１から位置２４４ｃ２まで移動する。これにより、２群レンズホルダー２４８は第２差動カム筒２４４に対して、位置２４４ｃ１から位置２４４ｃ２の間における２群カムピン２４８ａの光軸方向移動量分だけ繰り込まれる。上述した動作により、レンズ鏡筒がＷＩＤＥ待機状態となる（図１１）。
【００８８】
ＷＩＤＥ待機状態において、撮影者がレリーズボタンを第１ストロークまで押し込むことにより、カメラ本体２５９内部に備えられた測距部（不図示）により被写体距離が測定され、この被写体距離情報に基づいて焦点調節が行われる。
【００８９】
焦点調節を行う場合、まず、モーターの回転力が第１差動カム筒２４２に伝達され、第１差動カム筒２４２が固定筒２４１とのヘリコイド係合により光軸回りに回転しながら光軸方向に繰り出す。このとき、第２差動カム筒２４４の駆動ピン２５１が、第１カム溝２４３ｂに案内されて位置２４３ｂ３（∞位置）から位置２４３ｂ４（至近位置）までの間のうちモーターの回転量（第１差動カム筒２４２の回転量）に応じた位置まで移動することにより、第２差動カム筒２４４を光軸方向に繰り出す。
【００９０】
この第２差動カム筒２４４の繰り出しにより、１群レンズ鏡筒２４５の１群カムピン２４５ａは第２カム溝２４４ｂに案内されて、位置２４４ｂ３（∞位置）から位置２４４ｂ４（至近位置）までの間のうち第２差動カム２４４の繰り出し量に応じた位置まで移動する。これにより、１群レンズ鏡筒２４５が光軸方向に繰り出す。また、２群レンズホルダー２４８の２群カムピン２４８ａは、第３カム溝２４４ｃに案内されて、位置２４４ｃ３（∞位置）から位置２４４ｃ４（至近位置）のうち第２差動カム筒２４４の繰り出し量に応じた位置まで移動する。これにより、２群レンズホルダー２４８が光軸方向に繰り出す。
【００９１】
ここで、図１３に示すように、第１カム溝２４３ｂのうち位置２４３ｂ１’から位置２４３ｂ５までの領域を第１実施形態における第１カム溝１４３ｂに比べてフィルム側に０．４ｍｍ移動させている。また、図１５に示すように、第２カム溝２４４ｂのうち位置２４４ｂ２から位置２４４ｂ５までの領域を第１実施形態における第２カム溝１４４ｂに比べて被写体側に０．４ｍｍ移動させている。さらに、図１５に示すように、第３カム溝２４４ｃのうち位置２４４ｃ２から位置２４４ｃ５までの領域を第１実施形態における第３カム溝１４４ｃに比べて被写体側に０．４ｍｍ移動させている。
【００９２】
これにより、ＷＩＤＥにおける第１レンズ群および第２レンズ群の光軸方向における位置関係は第１実施形態と変わらないが、第２差動カム筒２４４がフィルム側に０．４ｍｍ移動したことになる。この第２差動カム筒２４４の移動に伴って、第２差動カム筒２４４と一体に移動する第２直進ガイド筒２４７に係止されている第２フレアカット板２５０もフィルム側に０．４ｍｍ移動することとなるため、第２フレアカット板２５０が第２レンズ群と干渉することはなくなる。
【００９３】
このように、第１カム溝２４３ｂの形状を変更するとともに、この第１カム溝２４３ｂの形状の変更に対応して、レンズ群（第１レンズ群および第２レンズ群）の光軸上の位置関係を維持するように第２カム溝２４４ｂおよび第３カム溝２４４ｃの形状を変更すれば、レンズ群の光軸上の位置関係を変えることなく第２差動カム筒２４４と第２直進ガイド筒２４７の繰り出し量を適宜変えることができる。そして、第２差動カム筒２４４および第２直進ガイド筒２４７の繰り出し量を適宜変えることができれば、鏡筒内に余分なスペースを設けなくても、第２レンズ群が第２フレアカット板２５０に干渉するを防止することができる。なお、本実施形態においては、第２差動カム筒２４４を０．４ｍｍフィルム側に移動させているが、第２差動カム筒２４４をフィルム側に移動させる距離は適宜設定することができる。
【００９４】
一方、上述したように１群レンズ鏡筒２４５および２群レンズホルダー２４８がそれぞれ光軸方向に移動することにより、１群レンズ鏡筒２４５に保持されている第１レンズ群および２群レンズホルダー２４８に保持されている第２レンズ群がそれぞれ、光軸方向に移動して焦点調節が行われる。この後、撮影者がレリーズボタンを第２ストロークまで押し込むと、公知の露光動作が行われる。
【００９５】
次に、レンズ鏡筒が沈胴状態（図１０）からＴＥＬＥ待機状態（図１２）まで繰り出す際の動作を説明する。
【００９６】
撮影者がカメラ本体２５９に備え付けられたズームスイッチ（不図示）を操作して、ズーム位置をＴＥＬＥに設定すると、モーターの回転力が第１差動カム筒２４２に伝達される。これにより、第１差動カム筒２４２は、固定筒２４１とのヘリコイド係合により、光軸回りに回転しながら光軸方向に繰り出す。このとき、第２差動カム筒２４４の駆動ピン２５１は、第１カム溝２４３ｂに案内されて位置２４３ｂ１から位置２４３ｂ１８まで移動する。これにより、第２差動カム筒２４４は第１直進ガイド筒２４３に対して、光軸回りに回転しながら繰り出す。ここで、第２差動カム筒２４４の繰り出し量は、位置２４３ｂ１から位置２４３ｂ１８の間における駆動ピン２５１の光軸方向移動量に相当する。
【００９７】
第２差動カム筒２４４が繰り出されることにより、１群レンズ鏡筒２４５の１群カムピン２４５ａは、第２カム溝２４４ｂに案内されて位置２４４ｂ１から位置２４４ｂ１８まで移動する。これにより、１群レンズ鏡筒２４５は第２差動カム筒２４４に対して、位置２４４ｂ１から位置２４４ｂ１８の間における１群カムピン２４５ａの光軸方向移動量分だけ繰り出される。また、２群レンズホルダー２４８の２群カムピン２４８ａは、第３カム溝２４４ｃに案内されて位置２４４ｃ１から位置２４４ｃ１８まで移動する。これにより、２群レンズホルダー２４８は第２差動カム筒２４４に対して、位置２４４ｃ１から位置２４４ｃ１８の間における２群カムピン２４８ａの光軸方向移動量分だけ繰り出される。上述した動作により、レンズ鏡筒がＴＥＬＥ待機状態となる（図１２）。
【００９８】
ＴＥＬＥ待機状態において、撮影者がレリーズボタンを第２ストロークまで押し込むことにより、カメラ本体２５９内部に備えられた測距部（不図示）により被写体距離が測定され、この被写体距離情報に基づいて焦点調節が行われる。
【００９９】
焦点調節を行う場合、まず、モーターの回転力が第１差動カム筒２４２に伝達され、第１差動カム筒２４２が固定筒２４１とのヘリコイド係合により光軸回りに回転しながら光軸方向に繰り出す。このとき、第２差動カム筒２４４の駆動ピン２５１が、第１カム溝２４３ｂに案内されて位置２４３ｂ１９（∞位置）から位置２４３ｂ２０（至近位置）までの間のうちモーターの回転量（第１差動カム筒２４２の回転量）に応じた位置まで移動することにより、第２差動カム筒２４４を光軸方向に繰り出す。
【０１００】
この第２差動カム筒２４４の繰り出しにより、１群レンズ鏡筒２４５の１群カムピン２４５ａは第２カム溝２４４ｂに案内されて、位置２４４ｂ１９（∞位置）から位置２４４ｂ２０（至近位置）までの間のうち第２差動カム２４４の繰り出し量に応じた位置まで移動する。これにより、１群レンズ鏡筒２４５が光軸方向に繰り出す。また、２群レンズホルダー２４８の２群カムピン２４８ａは、第３カム溝２４４ｃに案内されて、位置２４４ｃ１９（∞位置）から位置２４４ｃ２０（至近位置）のうち第２差動カム筒２４４の繰り出し量に応じた位置まで移動する。これにより、２群レンズホルダー２４８が繰り込む。
【０１０１】
上述した動作により、１群レンズ鏡筒２４５に保持されている第１レンズ群および第２レンズホルダー２４８に保持されている第２レンズ群がそれぞれ、光軸方向に移動して焦点調節が行われる。この後、撮影者がレリーズボタンを第２ストロークまで押し込むと、公知の露光動作が行われる。
【０１０２】
一方、ズーム位置をＭ１、Ｍ２、Ｍ３に切り換えた場合にも、レンズ鏡筒は上述したような倍率切換および焦点調節の動作を行う。ここで、図１３に示すように、ズーム位置がＷＩＤＥからＭ１に切り換わる際、第１カム溝２４３ｂにおけるＷＩＤＥ〜Ｍ１までの領域のリフト量は、他のズーム位置切換領域（Ｍ１〜Ｍ２までの領域、Ｍ２〜Ｍ３までの領域、Ｍ３〜ＴＥＬＥまでの領域）におけるリフト量よりも小さくなっている。つまり、ＷＩＤＥ〜Ｍ１における第２差動カム筒２４４の駆動速度を他のズーム位置切換領域における第２差動カム筒２４４の駆動速度よりも小さくしている。ここで、図１５に示すように、第２差動カム筒２４４において、ＷＩＤＥ〜Ｍ１間のレンズ群（第１レンズ群および第２レンズ群）の駆動速度は、他のズーム位置間（Ｍ１〜Ｍ２、Ｍ２〜Ｍ３、Ｍ３〜ＴＥＬＥ）のレンズ群の駆動速度よりも大きくなっているため、ＷＩＤＥ〜Ｍ１間での第２差動カム筒２４４の駆動速度を小さくすることにより、レンズ鏡筒におけるＷＩＤＥ〜Ｍ１間での焦点距離変化速度を小さくしている。これにより、撮影者がファインダーを覗いてＷＩＤＥ〜Ｍ１間での倍率切換を行う場合、違和感を感じることなく倍率切換を行うことができる。
【０１０３】
また、ＴＥＬＥにおける焦点距離は、従来（図１６）のＴＥＬＥにおける焦点距離と同じになるように設定しており、ズーム位置がＭ１、Ｍ２、Ｍ３と切り換わるにつれて焦点距離が従来のズーム位置における焦点距離に近づいていく。
【０１０４】
【発明の効果】
本発明のレンズ鏡筒では、ワイド位置及びワイド位置と隣り合うミドル位置の間での焦点距離変化速度を遅くすることができ、ワイド位置からミドル位置の間での倍率切換の際にファインダーを覗く撮影者に違和感を感じさせることのないきめ細かい倍率切換を行うことができる。また、鏡筒内部での可動部品同士の干渉を防止することもできる。
【図面の簡単な説明】
【図１】本発明の第１実施形態であるレンズ鏡筒の分解斜視図。
【図２】第１実施形態であるレンズ鏡筒の断面図およびこのレンズ鏡筒を備えたカメラ内部のブロック図。
【図３】第１実施形態であるレンズ鏡筒の断面図（ＷＩＤＥ）。
【図４】第１実施形態であるレンズ鏡筒の断面図（ＴＥＬＥ）。
【図５】固定筒１４１の展開図。
【図６】第１直進ガイド筒１４３の展開図。
【図７】第２差動カム筒１４４の展開図。
【図８】第２差動カム筒１４４の部分展開図。
【図９】本発明の第２実施形態であるレンズ鏡筒の分解斜視図。
【図１０】第２実施形態であるレンズ鏡筒の断面図（沈胴）。
【図１１】第２実施形態であるレンズ鏡筒の断面図（ＷＩＤＥ）。
【図１２】第２実施形態であるレンズ鏡筒の断面図（ＴＥＬＥ）。
【図１３】第１直進ガイド筒２４３の展開図。
【図１４】第２差動カム筒２４４の展開図。
【図１５】第２差動カム筒２４４の部分展開図。
【図１６】従来技術における第１直進ガイド筒３４３の展開図。
【図１７】ズームリングの回転角と撮影レンズ群の光軸方向移動量との関係図。
【図１８】ズームリングの回転角と撮影レンズ群の光軸方向移動量との関係図。
【符号の説明】
１４１・２４１  固定筒
１４２・２４２  第１差動カム筒
１４３・２４３  第１直進ガイド筒
１４４・２４４  第２差動カム筒
１４５・２４５  １群レンズ鏡筒
１４６・２４６  ナットリング
１４７・２４７  第２直進ガイド筒
１４８・２４８  ２群レンズホルダー
１４９・２４９  第１フレアカット板
１５０・２５０  第２フレアカット板
１５１・２５１  駆動ピン
１５３・２５３  板バネ
１５４・２５４  固定リング
１５９・２５９  カメラ本体
【図１】
0004095321.tif 000003
【図２】
0004095321.tif 000004
【図３】
0004095321.tif 000005
【図４】
0004095321.tif 000006
【図５】
0004095321.tif 000007
【図６】
0004095321.tif 000008
【図７】
0004095321.tif 000009
【図８】
0004095321.tif 000010
【図９】
0004095321.tif 000011
【図１０】
0004095321.tif 000012
【図１１】
0004095321.tif 000013
【図１２】
0004095321.tif 000014
【図１３】
0004095321.tif 000015
【図１４】
0004095321.tif 000016
【図１５】
0004095321.tif 000017
【図１６】
0004095321.tif 000018
【図１７】
0004095321.tif 000019
【図１８】
0004095321.tif 000020